(57)【要約】【課題】複数の再生情報セットを見た目つなぎ目なく再生する際、再生時刻情報に境界であったか否かだけのフラグを付随させると境界時エラーや再生情報の切り替え等が発生し、境界情報が失われた場合再生時刻制御に失敗し、情報再生に滞りが発生する。【解決手段】再生情報セットの境界指示情報の到達数を計数する複数ビットの計数手段１４を備え、計数手段１４の出力を再生時刻に付随させることにより全ての再生単位で再生時刻に再生情報セット番号が付随され、境界自体が失われても時刻制御を行なうことが可能となる。【選択図】      図１
2004296026.tif 000002
【特許請求の範囲】
【請求項１】
再生時刻を具備する再生単位により構成される一つ以上の再生情報セットと、該再生情報セットの境界指示情報と、現在時刻情報とを入力とし、該境界指示情報の入力時にのみ一増する複数ビットの値を計数する計数手段と、
該計数手段の出力を第一の拡張情報として付随させる現在時刻表示手段と、
該計数手段の出力を第二の拡張情報として付随させる再生時刻保持手段と、
前記再生情報セットに含まれる再生情報を保持し、後段に伝達する再生情報保持伝達手段とを備え、
前記再生情報保持伝達手段は、前記再生単位の再生時に、前記第一の拡張情報と前記第二の拡張情報とが不一致の時、該再生単位を出力し、両者が一致する時、前記現在時刻表示手段の出力と前記再生時刻保持手段の出力とを比較し、該再生時刻保持手段の出力が、小なる時もしくは等しい時、該再生単位を出力し、大なる時、該再生単位を破棄する、
ことを特徴とする情報再生装置。
【請求項２】
請求項１記載の情報再生装置において、
前記計数手段のビット数がｎの時、該計数手段の出力が取りうる値が２ｎ−２個以下であり、
前記第一の拡張情報と前記第二の拡張情報とが所定の値だけ乖離したとき、該第一と第二の拡張情報とのうち小なる情報は、上記取りうる値以外の値を付与される、
ことを特徴とする情報再生装置。
【請求項３】
請求項１記載の情報再生装置において、
前記境界指示情報は、該再生情報とは別の信号経路にて入力される、
ことを特徴とする情報再生装置。
【発明の詳細な説明】
【０００１】
【発明の属する技術分野】
本発明は情報再生装置に関し、特に、画像情報、音声情報等、複数以上の時刻同期性を要する情報再生にかかる情報再生装置に関するものである。
【０００２】
【従来の技術】
従来の情報再生装置は、再生時刻を具備する再生単位により構成される一つ以上の再生情報セットと、該再生情報セットの境界指示情報と、現在時刻情報とを入力とし該境界指示情報の入力時に１ビットの第一の拡張情報を真として付随させる現在時刻表示手段と、該境界指示情報の入力時に１ビットの第二の拡張情報を真として付随させる再生時刻保持手段と、再生情報を保持，伝達する再生情報保持伝送手段とを備え、該再生情報保持伝達手段は該再生単位の再生時に該第一の拡張情報と該第二の拡張情報が不一致ならば該再生単位を強制的に出力し、一致ならば該第一および該第二の拡張情報を偽とせしめ、該第一および第二の拡張情報が共に偽の時、該現在時刻表示手段の出力と該再生時刻保持手段の出力とを比較し、該再生時刻保持手段の出力が小ないしは等しい時、該再生単位を出力し、大なるとき該再生単位を破棄するように構成されていた（例えば、特許文献１）。
【０００３】
図４にその構成を示す。４１は現在時刻表示手段、４２は再生時刻保持手段、４３は再生情報保持伝達手段である。Ｓ４１は再生時刻情報を具備する再生単位で構成される再生情報セット、および該再生情報セットの境界指示情報の入力信号である。Ｓ４２は１ビットの第一の拡張情報信号である。Ｓ４３は現在時刻信号である。Ｓ４４は１ビットの第二の拡張情報信号である。Ｓ４５は再生時刻信号である。Ｓ４６は再生情報信号である。Ｓ４７はリセット信号である。第一の拡張情報信号Ｓ４２は、現在時刻表示手段４１に境界指示情報が入力された後、現在時刻情報が入力された時真となり、リセット信号Ｓ４７が真のとき偽となる。第二の拡張情報信号Ｓ４４は、再生時刻保持手段４２に境界指示情報が入力された時、真が保持され、該当する再生単位の再生時に上記再生情報保持伝達手段４３から出力され、リセット信号Ｓ４７が真のとき偽とされる。リセット信号Ｓ４７は、信号Ｓ４２および信号Ｓ４４が共に真のとき真となるパルス信号である。
【０００４】
信号Ｓ４２が真で信号Ｓ４４が偽のとき、現在時刻は新しい情報セットの時間軸上にあるが、再生単位は旧い情報セットの時間軸にあり、そのまま時刻制御に用いることは出来ず、時刻制御は無効とされ、該当する再生単位は強制的に出力される。信号Ｓ４２が偽で信号Ｓ４４が真のとき、現在時刻は旧い情報セットの時間軸で再生単位は新しい情報セットの時間軸にあるため、やはり時刻制御は無効とされる。信号Ｓ４２と信号Ｓ４４が一致した時、現在時刻も再生単位も共に同じ時間軸上にあり、時刻制御が有効となる。
【０００５】
【特許文献１】
特開平１０−１６４５１２号公報
【０００６】
【発明が解決しようとする課題】
しかしながら上記従来の構成では、再生情報の境界指示情報の到達時にのみ境界到達情報を伝達しており、エラーや再生情報の即時切り替えによる破棄等で該境界指示情報の喪失が起こった場合、異なる時間領域で時刻制御による同期再生を試行するため、長時間の停止や再生情報の不必要な破棄など再生上の不都合が生じていた。
【０００７】
この発明は上記の問題点を解消するためになされたもので、再生情報の先頭が喪失しても、再生情報が異なる時間に存することを検知できる情報再生装置を提供することを目的とする。
【０００８】
【課題を解決するための手段】
上記課題を解決するために、本発明（請求項１）にかかる情報再生装置は、再生時刻を具備する再生単位により構成される一つ以上の再生情報セットと、該再生情報セットの境界指示情報と、現在時刻情報とを入力とし、該境界指示情報の入力時にのみ一増する複数ビットの値を計数する計数手段と、該計数手段の出力を第一の拡張情報として付随させる現在時刻表示手段と、該計数手段の出力を第二の拡張情報として付随させる再生時刻保持手段と、前記再生情報セットに含まれる再生情報を保持し、後段に伝達する再生情報保持伝達手段とを備え、前記再生情報保持伝達手段は、前記再生単位の再生時に、前記第一の拡張情報と前記第二の拡張情報とが不一致の時、該再生単位を出力し、両者が一致する時、前記現在時刻表示手段の出力と前記再生時刻保持手段の出力とを比較し、該再生時刻保持手段の出力が、小なる時もしくは等しい時、該再生単位を出力し、大なる時、該再生単位を破棄するものである。
【０００９】
また、本発明（請求項２）にかかる情報再生装置は、請求項１記載の情報再生装置において、前記計数手段のビット数がｎの時、該計数手段の出力が取りうる値が２ｎ−２個以下であり、前記第一の拡張情報と前記第二の拡張情報とが所定の値だけ乖離したとき、該第一と第二の拡張情報とのうち小なる情報は、上記取りうる値以外の値を付与されるものである。
【００１０】
また、本発明（請求項３）にかかる情報再生装置は、請求項１記載の情報再生装置において、前記境界指示情報は、該再生情報とは別の信号経路にて入力されるものである。
【００１１】
【発明の実施の形態】
以下、本発明の実施の形態について図面を用いて説明する。
（実施の形態１）
図１は本発明の実施の形態１における情報再生装置のブロック図である。
図中、１１は現在時刻表示手段、１２は再生時刻保持手段、１３は再生情報保持伝達手段、１４は計数手段である。
【００１２】
Ｓ１１は再生時刻情報を具備する再生単位で構成される再生情報セット、および該再生情報セットの境界指示情報、の入力信号である。Ｓ１２は複数ビットの第一の拡張情報信号である。Ｓ１３は現在時刻信号である。Ｓ１４は複数ビットの第二の拡張情報信号である。Ｓ１５は再生時刻信号である。Ｓ１６は再生情報信号である。Ｓ１７は計数手段の出力である。
【００１３】
次に本実施の形態１による情報再生装置の動作について説明する。計数手段の出力Ｓ１７は計数手段１４に境界指示情報が入力された時に一増となる。出力Ｓ１７は現在時刻表示手段１１に入力され、現在時刻情報が入力された時、現在時刻表示手段１１に該現在時刻情報とともに取り込まれ、第一の拡張情報信号Ｓ１２として出力される。現在時刻情報が入力されていない間信号Ｓ１２は時間単位でカウントアップしていく。また出力Ｓ１７は再生時刻保持手段１２に再生時刻情報と共に取り込まれて保持され、該再生時刻情報に該当する再生単位の再生時に出力される。再生時刻保持手段はＳ１１から再生時刻が到達した時、信号Ｓ１７を取り込み信号Ｓ１４として出力し、該再生時刻を信号Ｓ１５として出力する。
【００１４】
信号Ｓ１２と信号Ｓ１４が不一致の時、現在時刻と、再生単位の再生時に出力される再生単位とは異なる再生情報セットに存する、すなわち異なる時間軸上にあり、時刻制御が無効となる。信号Ｓ１２と信号Ｓ１４が一致した時、現在時刻も再生単位も共に同じ時間軸上にあり、時刻制御が有効となる。再生情報保持伝達手段１３は、例えば、図５に示すように、信号Ｓ１２と信号Ｓ１４とが不一致の場合、保持していた再生情報ｘを信号Ｓ１６として出力し、該信号Ｓ１２と信号Ｓ１４とが一致した場合のみ、信号Ｓ１３と信号Ｓ１５とを比較し、信号Ｓ１５が信号Ｓ１３より小さかった場合再生情報ｘを保持しつづけ、信号Ｓ１５が信号Ｓ１３以上であった場合、再生情報ｘを破棄し、保持していた再生情報ｂを信号Ｓ１６として出力する。
【００１５】
このように、本実施の形態１では、再生時刻を具備する再生単位により構成される一つ以上の再生情報セットと、該再生情報セットの境界指示情報と、現在時刻情報とを入力とし、該境界指示情報の入力時にのみ一増する複数ビットの値を計数する計数手段と、該計数手段の出力を第一の拡張情報として付随させる現在時刻表示手段と、該計数手段の出力を第二の拡張情報として付随させる再生時刻保持手段と、前記再生情報セットに含まれる再生情報を保持し、後段に伝達する再生情報保持伝達手段とを備え、前記再生情報保持伝達手段は、前記再生単位の再生時に、前記第一の拡張情報と前記第二の拡張情報とが不一致の時、該再生単位を出力し、両者が一致する時、前記現在時刻表示手段の出力と前記再生時刻保持手段の出力とを比較し、該再生時刻保持手段の出力が、小なる時もしくは等しい時、該再生単位を出力し、大なる時、該再生単位を破棄するようにしたので、再生情報の先頭が喪失しても、再生情報が異なる時間軸に存することを検知可能となる効果が得られる。
【００１６】
（実施の形態２）
図２は本発明の実施の形態２における情報再生装置のブロック図である。
図中、２１は現在時刻表示手段、２２は再生時刻保持手段、２３は再生情報保持伝達手段である。２４はｎビット計数手段である。
【００１７】
Ｓ２１は再生時刻情報を具備する再生単位で構成される再生情報セット、および該再生情報セットの境界指示情報、の入力信号である。Ｓ２２はｎビットの第一の拡張情報信号である。Ｓ２３は現在時刻信号である。Ｓ２４はｎビットの第二の拡張情報信号である。Ｓ２５は再生時刻信号である。Ｓ２６は再生情報信号である。Ｓ２７は計数手段の出力である。Ｓ２８は第一の拡張情報再設定信号である。Ｓ２９は第二の拡張情報再設定信号である。
【００１８】
次に本実施の形態２による情報再生装置の動作について説明する。計数手段２４は境界指示情報が入力された時、値域０から２ｎ−２をとる。また信号Ｓ２８は信号Ｓ２２が信号Ｓ２４より２だけ小さくなった時に真となり、現在時刻表示手段２１に入力され、信号２２は値２ｎ−１に再設定される。また信号Ｓ２９は信号Ｓ２４が信号Ｓ２２より２だけ小さくなった時に真となり、再生時刻保持手段２２に入力され、信号２４は値２ｎ−１に再設定される。
【００１９】
この構成により、再生単位や再生時刻や現在時刻が欠落した場合、信号Ｓ２２と信号Ｓ２４は必ず不一致となり、時刻制御を無効にし、不都合なく再生することができるものである。図６では信号Ｓ２４が信号Ｓ２２より２だけ小さくなった場合を記載しているが、信号Ｓ２２が信号Ｓ２４より２だけ小さくなった場合も同様に値域によるラップアラウンドの発生により一致してしまう事故を救済できる。
【００２０】
このように、本発明の形態２では、再生時刻を具備する再生単位により構成される一つ以上の再生情報セットと、該再生情報セットの境界指示情報と、現在時刻情報とを入力とし、該境界指示情報の入力時にのみ一増する複数ビットの値を計数する計数手段と、該計数手段の出力を第一の拡張情報として付随させる現在時刻表示手段と、該計数手段の出力を第二の拡張情報として付随させる再生時刻保持手段と、前記再生情報セットに含まれる再生情報を保持し、後段に伝達する再生情報保持伝達手段とを備え、前記再生情報保持伝達手段は、前記再生単位の再生時に、前記第一の拡張情報と前記第二の拡張情報とが不一致の時、該再生単位を出力し、両者が一致する時、前記現在時刻表示手段の出力と前記再生時刻保持手段の出力とを比較し、該再生時刻保持手段の出力が、小なる時もしくは等しい時、該再生単位を出力し、大なる時、該再生単位を破棄するようにし、かつ、前記計数手段のビット数がｎの時、該計数手段の出力が取りうる値が２ｎ−２個以下であり、前記第一の拡張情報と前記第二の拡張情報とが所定の値だけ乖離したとき、該第一と第二の拡張情報とのうち小なる情報は、上記取りうる値以外の値を付与されるようにしたので、再生情報の先頭が喪失しても、再生情報が異なる時間軸に存することを検知可能となる効果が得られる。
【００２１】
（実施の形態３）
図３は本発明の実施の形態３における情報再生装置のブロック図である。
図中、図１と同一符号は同一又は相当部分であり、３４は計数手段である。Ｓ３１は再生時刻情報を具備する再生単位で構成される再生情報セットの入力信号である。Ｓ３０は該再生情報セットの境界指示情報の入力信号である。
【００２２】
次に本実施の形態３による情報再生装置の動作について説明する。信号Ｓ３０は信号Ｓ３１に入力される再生情報セットの入力終了時に真となり、計数手段３４は信号Ｓ３０が真のとき一増される。以降の動作は、実施の形態１と同一である。
【００２３】
この構成により、再生情報セット信号から境界情報の検知が不可能な場合においても、本構成をとることにより、例えば全体制御プロセッサなどから境界情報を通知させることが可能となる。
【００２４】
このように、本発明の形態３では、再生時刻を具備する再生単位により構成される一つ以上の再生情報セットと、該再生情報セットの境界指示情報と、現在時刻情報とを入力とし、該境界指示情報の入力時にのみ一増する複数ビットの値を計数する計数手段と、該計数手段の出力を第一の拡張情報として付随させる現在時刻表示手段と、該計数手段の出力を第二の拡張情報として付随させる再生時刻保持手段と、前記再生情報セットに含まれる再生情報を保持し、後段に伝達する再生情報保持伝達手段とを備え、前記再生情報保持伝達手段は、前記再生単位の再生時に、前記第一の拡張情報と前記第二の拡張情報が不一致の時、該再生単位を出力し、両者が一致する時、前記現在時刻表示手段の出力と前記再生時刻保持手段の出力とを比較し、該再生時刻保持手段の出力が、小なる時もしくは等しい時、該再生単位を出力し、大なる時、該再生単位を破棄するようにし、かつ、前記境界指示情報は、該再生情報とは別の信号経路にて入力されるようにしたので、再生情報セット信号から境界情報の検知が不可能な場合において、再生情報の先頭が喪失しても、再生情報が異なる時間軸に存することを検知可能となる効果が得られる。
【００２５】
【発明の効果】
以上のように本発明にかかる情報再生装置によれば、再生時刻を具備する再生単位により構成される一つ以上の再生情報セットと、該再生情報セットの境界指示情報と、現在時刻情報とを入力とし、該境界指示情報の入力時にのみ一増する複数ビットの値を計数する計数手段と、該計数手段の出力を第一の拡張情報として付随させる現在時刻表示手段と、該計数手段の出力を第二の拡張情報として付随させる再生時刻保持手段と、前記再生情報セットに含まれる再生情報を保持し、後段に伝達する再生情報保持伝達手段とを備え、前記再生情報保持伝達手段は、前記再生単位の再生時に、前記第一の拡張情報と前記第二の拡張情報とが不一致の時、該再生単位を出力し、両者が一致する時、前記現在時刻表示手段の出力と前記再生時刻保持手段の出力とを比較し、該再生時刻保持手段の出力が、小なる時もしくは等しい時、該再生単位を出力し、大なる時、該再生単位を破棄するようにしたので、再生情報セット境界情報の検知数を計数する複数ビットの計数装置の出力を時刻情報に付随させることにより、エラーや再生情報の即時切り替えによる破棄等により再生情報の先頭が喪失しても、再生情報が異なる時間軸に存することを検知可能となる効果がある。
【００２６】
また、複数の再生情報が存在し一方をマスターとして再生時刻制御を行っていた場合、マスター側の情報が欠落していてもそれを検知してスレーブ側を自走させることが出来、再びマスター側の情報が到来しても混乱することなく再生時刻制御を復活させることができる効果がある。
【図面の簡単な説明】
【図１】本発明の実施の形態１を示すブロック図
【図２】本発明の実施の形態２を示すブロック図
【図３】本発明の実施の形態３を示すブロック図
【図４】従来の情報再生装置を示すブロック図
【図５】本発明の実施の形態１の動作説明図
【図６】本発明の実施の形態２の動作説明図
【符号の説明】
１１  現在時刻表示手段
１２  再生時刻保持手段
１３  再生単位保持伝達手段
１４  計数手段
２１  現在時刻表示手段
２２  再生時刻保持手段
２３  再生単位保持伝達手段
２４  計数手段
３４  計数手段
【図１】
2004296026.tif 000003
【図２】
2004296026.tif 000004
【図３】
2004296026.tif 000005
【図４】
2004296026.tif 000006
【図５】
2004296026.tif 000007
【図６】
2004296026.tif 000008